(57)【特許請求の範囲】
【請求項１】
接触部（２６）を受ける少なくとも１つの接触部チャンバ（１２）を有する、電子プラグインコネクタ用のハウジング（１０）であって、
接触部チャンバ（１２）の少なくとも１つの内面（２２）には抜け勾配が形成され、
前記抜け勾配の長手方向に沿って少なくとも１つのリブ（２４）が延在し、該リブは、抜け勾配の表面に配設され、傾斜を有していないか、あるいは抜け勾配よりも小さい傾斜を有しており、
接触部チャンバ（１２）及び抜け勾配は、接触部チャンバに対する挿入コアの挿入および除去のための抜け開口部（１４）に向かって拡張しており、
リブ（２４）は、接触部チャンバ（１２）に対する接触部（２６）の挿入を促進するように、抜け開口部（１４）の方向に向かって拡張した抜け開口部（１４）に面する端部にランプセクション（３４）を有することを特徴とするハウジング（１０）。
【請求項２】
接触部チャンバ（１２）は、複数の抜け勾配によって横断方向において境界付けられ、各抜け勾配の表面に長手方向に延びる少なくとも１つのリブ（２４）が設けられることを特徴とする請求項１に記載のハウジング。
【請求項３】
前記抜け勾配に設けられたリブ（２４）の垂直方向の範囲は、抜け開口部（１４）の方向に向かって増加し、望ましくは、各抜け勾配が抜け開口部（１４）の方向に向けて接触部チャンバ（１２）を拡張させるのと実質的に同じ程度だけ増加することを特徴とする請求項１又は請求項２に記載のハウジング。
【請求項４】
各抜け勾配および各リブ（２４）は、０．２５°から０．７５°、好ましくは０．５°の角度で抜け開口部（１４）の方向に拡張していることを特徴とする請求項１〜３のいずれかに記載のハウジング。
【請求項５】
リブ（２４）の断面は、矩形状又は自由端に向かってテーパ状をなすことを特徴とする請求項１〜４のいずれかに記載のハウジング。
【請求項６】
リブ（２４）は、接触部チャンバ（１２）と一体的に製造されることを特徴とする請求項１〜５のいずれかに記載のハウジング。
【請求項７】
射出成形法を用いてプラスチック材料から製造されることを特徴とする請求項１〜６のいずれかに記載のハウジング。
【請求項８】
請求項１〜７のいずれかに記載のハウジング（１０）と、
ハウジング（１０）の接触部チャンバ（１２）内に配設された接触部（２６）と、
を有することを特徴とするプラグインコネクタ。
【請求項９】
リブ（２４）は、接触部（２６）を接触部チャンバ（１２）に挿入する際にリブが変形するような垂直方向の寸法を有することを特徴とする請求項８に記載のプラグインコネクタ。
【請求項１０】
接触部（２６）は、周囲に亘る片持ち式ばね（２８）を有し、互いに対向して配されたリブ（２４）の間のクリアランスは、非収縮状態では、接触部の片持ち式ばね（２８）の外側寸法よりも小さいことを特徴とする請求項８又は請求項９に記載のプラグインコネクタ。
【発明の詳細な説明】
【技術分野】
【０００１】
本発明は、電子プラグインコネクタ用のハウジングであって、接触部を受ける少なくとも１つの接触部チャンバを有し、接触部チャンバの少なくとも１つの内面に抜け勾配が形成されたハウジングに関する。さらに、本発明は、ハウジングを有するプラグインコネクタに関し、該コネクタは、ハウジングの接触部チャンバ内に、専門用語を用いて「雌ターミナル」又は「雄ターミナル」として形成され得る接触部が配設される。
【背景技術】
【０００２】
抜け勾配を有する接触部チャンバの内側面のデザインについては、射出ツール、特に接触部チャンバを形成する挿入コアと、射出成形により製造されたハウジングとを射出成形後に容易に分離することができる技術的な製造方法が要求される。
【発明の概要】
【発明が解決しようとする課題】
【０００３】
上記ように形成された円錐の離型および付加的な製造ばらつきの結果、従来のプラグインコネクタは、接触部チャンバの内側面と受容される接触部との間にクリアランスを有し、プラグインコネクタが乗物の用途に使用される場合に生じ得る大きな加速（３０Ｇ以上）に曝されると、振動により誘発される接触障害（いわゆる、極小の障害）が生じ得る。
【０００４】
そのため、本発明の目的は、極小の障害が生じるリスクを少なくとも減少させるプラグインコネクタハウジングをさらに開発することである。
【課題を解決するための手段】
【０００５】
上記目的は、本願の請求項１に記載の特徴を有する電子プラグインコネクタ用のハウジングを用いた本願発明により達成される。当該目的は、特に、傾斜していないか又は抜け勾配よりも小さい傾斜を有する少なくとも１つのリブが抜け勾配の長手方向の方向（すなわち、抜け勾配の最大傾斜の方向）に延びることにより達成される。換言すると、少なくとも１つのリブは、少なくとも１つの抜け勾配に亘って隆起（上昇）している。抜け勾配と接触部チャンバに受容される接触部との間の中間のスペースは、少なくとも部分的にリブによって埋められ（架橋され）、このため、接触部チャンバに受容される接触部は接触部チャンバにおいて実質的にクリアランスを有さずに保持される。
【０００６】
したがって、リブにより、抜け勾配と接触部チャンバに受容される接触部との間のクリアランスは、減少するか排除される。これにより、望ましくない極小の障害に効果的に対処することができる。本発明によると、リブは、抜け勾配を有さず、又は接触部チャンバの内側面より小さい傾斜を有する抜け勾配を有し、接触部チャンバの内側面は抜け勾配を有し内側面にリブが形成されるため、ハウジングと挿入コアとを離型する際にハウジングと挿入コアとの間に僅かに高い摩擦力が生じる。しかし、僅かに高い摩擦力は、まばらに設けられたリブに限定されるため、リブの存在にかかわらず良好な離型がなされる。
【０００７】
従属請求項に係る好ましい実施形態について、図面を参照しつつ以下に説明する。
【０００８】
好ましい実施例によると、ハウジングの接触部チャンバは、複数の抜け勾配によって横断方向において境界付けられ、各抜け勾配の表面に長手方向に延びる少なくとも１つのリブが設けられる。接触部チャンバの内周を境界付ける複数の表面に本発明のリブを有する本実施例によって、種々の方向への振動により生じる極小の障害が効果的に減少するか、減衰される。接触部チャンバに受容される接触部は種々の方向に対するクリアランスを有さずに設置されるため、本発明によるハウジングを所望の設置状況および設置方向に使用することができる。
【０００９】
本発明によると、ハウジングは、電子プラグコネクタに設けられる。接触部チャンバは、接触部チャンバに対する挿入コアの挿入および除去のため抜け開口部に向かって拡張する。抜け勾配において設けられたリブの垂直方向の範囲は、抜け開口部の方向に向かって増加し、望ましくは、各抜け勾配が抜け開口部の方向に向けて接触部チャンバを拡張させるのと実質的に同じ程度だけ増加する。本実施例は、特に、接触部チャンバに受容される接触部がプラグインする方向に見て実質的に均一な外寸法を有する場合に有益である。この場合、接触部は、抜け勾配に設けられたリブにより、プラグインする方向に見て多くの範囲に亘ってクリアランスを有さずに保持される。リブの垂直方向の寸法は、抜け開口部の方向に向かう対応する抜け勾配と実質的に同じ程度だけ抜け開口部の方向に向かって増加する。
【００１０】
各抜け勾配および各リブが、０．２５°から０．７５°、好ましくは０．５°の角度で抜け開口部の方向に向かって拡張している場合に特に有益であることが分かっている。換言すると、各リブの垂直方向の寸法は、各抜け勾配が抜け開口部の方向に拡張する量だけ所定の角度データの領域で増加する。これにより、（クリアランスがないため）接触部チャンバに受容される接触部の特定の良好な設置が実現する。
【００１１】
減衰リブは、接触部チャンバに受容される接触部に対して全長に亘って所定のオーバサイズを有するため、リブの断面が薄い矩形状又は自由端に向かってテーパ状をなしている実施例によってさらなる利点がもたらされることが分かっている。リブは、接触部を接触部チャンバに挿入する際に容易に変形する。これにより、本発明によるハウジングを用いるプラグインコネクタの挿入が促進される。
【００１２】
さらに、リブが抜け開口部の方向に向かって拡張した該開口部に面する端部にランプセクションを有する実施例により上記挿入が促進される。この接触部チャンバに対する接触部の挿入の促進は、上記手法により漏斗のような作用がもたらされるために実現する。
【００１３】
本発明のさらなる態様によると、前述のハウジングに加えて、接触部チャンバに配置された接触部を有するプラグインコネクタであって、リブが接触部を接触部チャンバに挿入する際に変形するような垂直方向の寸法を有する実施例により本発明の目的が達成される。接触部チャンバ内の接触部は、実質的にクリアランスなく配置されるため（密であるため）、望ましくない極小の障害が効果的に処理される。
【００１４】
接触部チャンバ内の接触部の設置をできるだけ密にするため、接触部は、さらなる実施例による周囲に亘る片持ち式ばねを有し、互いに対向して配されたリブの間のクリアランスは、非収縮の変形していない状態では、接触部の片持ち式ばねの外側寸法よりも小さい。したがって、片持ち式ばねは、接触部の個々の接触フィンなしでリブの変形の結果としてリブによってもたらされる圧縮力を均等にする。
【００１５】
以下に、添付の図面を参照しつつ、本発明について例示的に説明する。
【図面の簡単な説明】
【００１６】
【図１】減衰リブを有していない従来のプラグインコネクタハウジングの長手方向の断面を示す図。
【図２】図１のプラグインコネクタハウジングの長手方向の断面を示す平面図。
【図３】本発明によるプラグインコネクタハウジングの長手方向の断面を示す図。
【図４】図３のプラグインコネクタハウジングの断面図。
【図５】本発明によるプラグインコネクタハウジングの断面図。
【発明を実施するための形態】
【００１７】
本発明をより詳細に理解するために、まず、図１，２を参照して、接触部チャンバの内側面に減衰（ダンピング）リブが配されていない従来のプラグインコネクタおよび従来のプラグインコネクタハウジングについて説明する。
【００１８】
図１，２は、プラグインコネクタハウジング１０の断面図を示している。プラグインコネクタハウジング１０は、細長い形状を有しており、抜け（ドラフト）開口部１４と接触開口部１６との間に延びる接触部チャンバ１２を包含する。本態様において、抜け開口部１４は、プラグインコネクタハウジング１０の射出成形中に、接触部チャンバ１２に対する挿入コアの挿入およびの除去に寄与する。一方、接触開口部１６は、接触部チャンバ１２に受容される接触部２６と電気接触するようにカウンタ接触部の導入に寄与する。図１，２から分かるように、抜け開口部１４を通して接触部チャンバ１２に挿入された接触部２６は、スリーブ形状を有した片持ち式ばね２８を有し、該ばねはその内部において接触部２６の接触フィンつまり接触タング３０に対応する。図示した実施例では、接触部２６は、片持ち式ばね３０により取り囲まれているが、片持ち式ばね３０を配することなく、接触部２６は接触部チャンバ１２に直接受容されるようにしてもよい。図１，２に示すように、カフ状の片持ち式ばね２８は、弾力性のあるラッチタング３２を有し、該ラッチタング３２は、２つの互いに対向する側においてハウジング１０に形成されたラッチばね切欠き１８に弾性的に係合して、接触部チャンバ１２内に接触部２６を保持する（つまり、脱落しないように固定する）。さらに、ハウジング１０は、抜け開口部１４の方向に向かって拡張した２つの領域２０を有し、該領域は、接触部チャンバ１２に対する接触部２６の挿入を容易にする。
【００１９】
図１から分かるように、接触部２６の片持ち式ばね２８は、接触部チャンバ１２の内側面２２に対して所定のクリアランスを有し、該クリアランスは、抜け開口部１４の方向に向かって約０．２５ｍｍから約０．４５ｍｍまで拡張する。同様に、図２に示す片持ち式ばね２８は、内側面２２に対して所定のクリアランスを有し、該クリアランスは、抜け開口部１４の方向に向かって約０．３５ｍｍから約０．５５ｍｍまで拡張する。クリアランスの増加により、接触部チャンバ１２内に挿入された射出成形コアとプラグインコネクタハウジング１０とを離型時に容易に引き離すことができる。
【００２０】
しかし、接触部２６の片持ち式ばね２８と接触部チャンバ１２の内側面２２との間のクリアランスにより極小の障害が生じるため、本発明では、抜け勾配を有して形成された接触部チャンバ１２の内側面２２に沿って、長手方向、つまり抜け勾配の最大傾斜の方向に向かって延在するリブ２４を配設することが提案される。これについては、図３〜５を参照して、以下により詳細に説明する。本発明による減衰リブ２４の付加を除いて、図３〜５に示すハウジングおよびハウジングに受容される接触部は図１，２を参照して説明した構成要素に対応している。したがって、図１，２および対応する記載を参照されたい。
【００２１】
図３に示すように、本発明において、互いに対向するように配置された内側面２２、つまりプラグインコネクタハウジング１０の接触部チャンバ１２の内側面２２（接触部チャンバ１２の内側に面する）は、抜け開口部１４の方向に約０．５°の傾斜角で拡張した抜け勾配を有する。これにより、図１，２に図示したものと比べてクリアランスが増加する。接触部２６と接触部チャンバ１２の内側面２２との間のクリアランスの結果として生じる極小の障害を減少させるため、抜け勾配を有して形成された接触部チャンバ１２の少なくとも内側面２２には、抜け勾配の長手方向へと延びるリブ２４が配設される。該リブは、傾斜していないか、又は抜け勾配よりも小さい傾斜を有しており、したがって、抜け勾配１２に亘って隆起している。リブは、抜け勾配１２の表面から接触部チャンバ１２の内側に延びている。リブ２４は、図１，２を参照して説明した片持ち式ばね２８の接触部２６と接触部チャンバ１２の内側面２２との間のクリアランスを補う実質的に垂直方向の寸法を有する。すなわち、リブ２４の垂直方向の寸法は、約０．２５ｍｍ又は約０．３５ｍｍの最初の垂直寸法から、約０．４５ｍｍ又は約０．５５ｍｍの垂直方向寸法まで抜け開口部１４の方向に向かって拡張する。リブ２４のサイズは、好ましくは、片持ち式ばね２８の接触部２６に対して所定のオーバサイズとなっており、このため、図５において符号Ｘとして示すように、接触部２６を接触部チャンバ１２に挿入する際にリブは僅かに変形する。
【００２２】
このオーバサイズのリブ２４は、接触部チャンバ１２に対する接触部２６の挿入の妨げにはならない。これは、図示した実施例のリブ２４が、抜け開口部１４に面する端部に抜け開口部１４の方向に向かって延びるランプセクション３４を有しており、このセクションによって接触部チャンバ１２に対する接触部２６の挿入が促進されるためである。
【００２３】
さらに、図４に示す断面図において符号Ｓ１〜Ｓ４として示すように、リブは、非常に薄い矩形状、又は自由端に向かってテーパ状をなしている。例えば、リブ２４の自由端は、符号Ｓ１に示すように半円形状を有して丸くなっており、あるいは、符号Ｓ２に示すように、先端に向かって収束している。他の実施例としては、図４において符号Ｓ４に示すように、リブは実質的に台形状をなす。自由端に向かってテーパ状をなしているリブ２４の全形状により、接触部チャンバ１２に対する接触部２６の挿入時における片持ち式ばね２８の接触部２６によってリブ２４が容易に変形することが可能となる。これにより、片持ち式ばね２８の接触部２６とリブ２４との摩擦が減少して、接触部チャンバ１２に対する接触部２６の挿入が助長される。
【符号の説明】
【００２４】
１０    プラグインコネクタハウジング
１２    接触部チャンバ
１４    抜け開口部
１６    接触開口部
１８    ラッチばね切欠き
２０    拡張挿入領域
２２    内側面
２４    リブ
２６    接触部
２８    片持ち式ばね
３０    接触フィン／接触タング
３２    ラッチタング
３４    ランプセクション
Ａ    ０．２５ｍｍ程度のクリアランス
Ｂ    ０．４５ｍｍ程度クリアランス
Ｃ    ０．３５ｍｍ程度クリアランス
Ｄ    ０．５５ｍｍ程度クリアランス
【図１】
0005518908.tif 000002
【図２】
0005518908.tif 000003
【図３】
0005518908.tif 000004
【図４】
0005518908.tif 000005
【図５】
0005518908.tif 000006